(57)【特許請求の範囲】
【請求項１】
光ファイバを設置する光ファイバ設置部と、
前記光ファイバ設置部に設置された光ファイバを押さえる光ファイバ押さえ部と、
前記光ファイバ押さえ部で押さえられた光ファイバを切断する光ファイバ切断部と、
を具備し、
前記光ファイバ設置部の延長線上には、光ファイバ屑回収部が設けられ、
前記光ファイバ屑回収部には、光ファイバの先端を挿入可能な孔が形成され、
前記光ファイバ押さえ部を閉じた状態において、前記光ファイバ押さえ部が前記孔を塞ぐように配置され、
前記光ファイバ屑回収部の内部は、切断された光ファイバ屑を貯留するための貯留部が形成され、
前記貯留部の底面が、前記光ファイバ設置部における光ファイバ設置面よりも低い位置に形成された、
光ファイバ切断器を用い、
前記光ファイバ屑回収部には、さらに、開閉可能な透明な蓋が設けられ、前記光ファイバ屑回収部内部が視認可能であり、
前記蓋にはマークが設けられ、
前記光ファイバ押さえ部を開いた状態で、
前記光ファイバ切断部による光ファイバの切断位置と前記孔との距離よりも、前記孔から前記マークまでの光ファイバ長さが長くなるように光ファイバの先端を前記光ファイバ屑回収部の前記孔に挿入するとともに、前記光ファイバ設置部に前記光ファイバを設置し、
前記光ファイバ押さえ部を閉じて、前記光ファイバを前記光ファイバ設置部に押さえつけ、
前記光ファイバ切断部を動作させて前記光ファイバを切断し、
前記光ファイバ押さえ部を開くことで、使用する側の前記光ファイバを前記光ファイバ設置部から取り出すとともに、光ファイバ屑を前記光ファイバ屑回収部に入れることを特徴とする光ファイバ切断方法。
【請求項２】
光ファイバを切断する光ファイバ切断器であって、
光ファイバを設置する光ファイバ設置部と、
前記光ファイバ設置部に設置された光ファイバを押さえる光ファイバ押さえ部と、
前記光ファイバ押さえ部で押さえられた光ファイバを切断する光ファイバ切断部と、
を具備し、
前記光ファイバ設置部の延長線上には、光ファイバ屑回収部が設けられ、
前記光ファイバ屑回収部には、光ファイバの先端を挿入可能な孔が形成され、
前記光ファイバ押さえ部を閉じた状態において、前記光ファイバ押さえ部が前記孔を塞ぐように配置され、
前記光ファイバ屑回収部の内部は、切断された光ファイバ屑を貯留するための貯留部が形成され、
前記貯留部の底面が、前記光ファイバ設置部における光ファイバ設置面よりも低い位置に形成され、
前記光ファイバ屑回収部には、さらに、開閉可能な透明な蓋が設けられ、前記光ファイバ屑回収部内部が視認可能であり、
前記蓋には、前記光ファイバ切断部による光ファイバの切断位置と前記孔との距離よりも、前記孔からの挿入長さが長くなるような位置に、光ファイバの挿入代を示すマークが形成されることを特徴とする光ファイバ切断器。
【発明の詳細な説明】
【技術分野】
【０００１】
本発明は、光ファイバ心線を切断するための、光ファイバ切断器および光ファイバの切断方法に関するものである。
【背景技術】
【０００２】
従来、光ファイバ心線同士の接続として、ファイバ融着器が用いられる場合がある。光ファイバ心線の融着は、光ファイバ心線の端部同士を突き合わせて、光ファイバ心線の端部同士を部分溶融して接合するものである。このような光ファイバ心線の端部同士を突き合わせて接続する方法では、あらかじめ、接続する光ファイバ心線の端部を切断する必要があった。
【０００３】
ファイバ心線を切断する際には、ファイバ屑が発生する。ファイバ屑は、非常に微細なものであるため、切断作業において散乱すると、これらを集めて回収することが困難であり、また、それらが人の手などに刺さるなどという問題がある。したがって、このようなファイバ屑の回収処理が必要となる。
【０００４】
このようなファイバ屑を収集可能なファイバ切断器としては、例えば、クランプした光ファイバの外周面に傷を入れ、同光ファイバに張力或いは曲げ応力を付与して傷部を破断させて、光ファイバに鏡面状の端面を形成する光ファイバ切断器において、切断により切り離された分離光ファイバ側に、当該分離光ファイバを収容可能な収容容器と、分離光ファイバを収容容器内へと搬送して回収するピンチローラと、光ファイバを切断する際に可動される部分の運動を受けてピンチローラを回転駆動する駆動機構とを備える光ファイバ切断器がある（特許文献１）。
【０００５】
また、光ファイバを切断する光ファイバカッタにおいて、光ファイバカット時にカットされたファイバカット屑を収集する箱状のファイバカットボックスを着脱自在に設けたことを特徴とするファイバ屑収納部付光ファイバカッタがある（特許文献２）。
【先行技術文献】
【特許文献】
【０００６】
【特許文献１】特開２０００−８９０３４号公報
【特許文献２】実開平０５−５４５１７号公報
【発明の概要】
【発明が解決しようとする課題】
【０００７】
しかしながら、特許文献１のような光ファイバ切断器は、ファイバ切断時の切断操作に応じてピンチローラを動作させ、これにより切断されたファイバ屑を搬送するため、構造が極めて複雑であり、装置自体が大型化するという問題がある。
【０００８】
また、特許文献２のようなファイバ屑収納部付光ファイバカッタは、ファイバ屑を確実にファイバカットボックス内に落とすために、ファイバの切断代を大きくとる必要があり、また、底板を斜めに形成するため、ファイバカットボックス自体を小型化することができず、装置全体が大型化する。
【０００９】
また、装置を移動・運搬する際に、収容された内部のファイバ屑がファイバカットボックスからこぼれおちる恐れがある。
【００１０】
本発明は、このような問題に鑑みてなされたもので、簡易な構造で切断後の光ファイバ屑を容易に回収することが可能であるとともに、内部の光ファイバ屑が収容部からこぼれおちることがない光ファイバ切断器および光ファイバの切断方法を提供することを目的とする。
【課題を解決するための手段】
【００１１】
前述した目的を達成するため、第１の発明は、光ファイバを設置する光ファイバ設置部と、前記光ファイバ設置部に設置された光ファイバを押さえる光ファイバ押さえ部と、前記光ファイバ押さえ部で押さえられた光ファイバを切断する光ファイバ切断部と、を具備し、前記光ファイバ設置部の延長線上には、光ファイバ屑回収部が設けられ、前記光ファイバ屑回収部には、光ファイバの先端側が挿入可能な孔が形成され、前記光ファイバ押さえ部を閉じた状態において、前記光ファイバ押さえ部が前記孔を塞ぐように配置され、前記光ファイバ屑回収部の内部は、切断された光ファイバ屑を貯留するための貯留部が形成され、前記貯留部の底面が、前記光ファイバ設置部における光ファイバ設置面よりも低い位置に形成された、光ファイバ切断器を用い、前記光ファイバ屑回収部には、さらに、開閉可能な透明な蓋が設けられ、前記光ファイバ屑回収部内部が視認可能であり、前記蓋にはマークが設けられ、前記光ファイバ押さえ部を開いた状態で、前記光ファイバ切断部による光ファイバの切断位置と前記孔との距離よりも、前記孔から前記マークまでの光ファイバ長さが長くなるように光ファイバの先端を前記光ファイバ屑回収部の前記孔に挿入するとともに、前記光ファイバ設置部に前記光ファイバを設置し、前記光ファイバ押さえ部を閉じて、前記光ファイバを前記光ファイバ設置部に押さえつけ、前記光ファイバ切断部を動作させて前記光ファイバを切断し、前記光ファイバ押さえ部を開くことで、使用する側の前記光ファイバを前記光ファイバ設置部から取り出すとともに、光ファイバ屑を前記光ファイバ屑回収部に入れることを特徴とする光ファイバ切断方法である。なお、以下の説明において、「光ファイバ」を単に「ファイバ」と称する場合がある。
【００１４】
第１の発明によれば、ファイバ屑回収部がファイバ設置部の延長線上に設けられ、ファイバ先端が挿入可能な孔が形成されるため、切断されたファイバ屑の一部が、当初からファイバ屑回収部内部に位置する。したがって、確実にファイバ屑をファイバ屑回収部の内部に入れることができる。また、通常、孔はファイバ押さえ部によって塞がれているため、内部のファイバ屑がこぼれおちることがない。
【００１５】
なお、孔がファイバ押さえ部によって塞がれるとは、ファイバ押さえ部が孔と接触して、ファイバ屑回収部とファイバ押さえ部との間に隙間がないことのみではなく、ファイバ屑回収部とファイバ押さえ部との間に多少の隙間が形成されたとしても、孔からファイバ屑がこぼれ落ちる程度の隙間がないことをいう。
【００１６】
また、貯留部の底面が、光ファイバ設置部における光ファイバ設置面よりも低い位置に形成されるため、光ファイバ屑が貯留部に落下した後、光ファイバ屑の端部が孔から出ることがなく、光ファイバ屑が孔から抜け落ちることを防止することができる。
【００１７】
また、光ファイバ屑回収部に開閉可能な透明な蓋が設けられ、光ファイバ屑回収部内部が視認可能であるため、光ファイバを光ファイバ屑回収部に挿入した際に、光ファイバ屑が確実に内部に入っていることを視認することが可能であり、また、光ファイバの挿入代を確認することができる。さらに、蓋にマークが形成され、光ファイバ切断部と孔との距離よりも、孔からマークまでの光ファイバ長さ（光ファイバ回収部内部の長さ）が長くなるように光ファイバの先端を光ファイバ屑回収部に挿入して切断することで、光ファイバの重心がファイバ屑回収部内部に位置し、切断後に光ファイバ屑を確実に光ファイバ屑回収部内に落とすことができる。
【００１８】
第２の発明は、光ファイバを切断する光ファイバ切断器であって、光ファイバを設置する光ファイバ設置部と、前記光ファイバ設置部に設置された光ファイバを押さえる光ファイバ押さえ部と、前記光ファイバ押さえ部で押さえられた光ファイバを切断する光ファイバ切断部と、を具備し、前記光ファイバ設置部の延長線上には、光ファイバ屑回収部が設けられ、前記光ファイバ屑回収部には、光ファイバの先端を挿入可能な孔が形成され、前記光ファイバ押さえ部を閉じた状態において、前記光ファイバ押さえ部が前記孔を塞ぐように配置され、前記光ファイバ屑回収部の内部は、切断された光ファイバ屑を貯留するための貯留部が形成され、前記貯留部の底面が、前記光ファイバ設置部における光ファイバ設置面よりも低い位置に形成され、前記光ファイバ屑回収部には、さらに、開閉可能な透明な蓋が設けられ、前記光ファイバ屑回収部内部が視認可能であり、前記蓋には、前記光ファイバ切断部による光ファイバの切断位置と前記孔との距離よりも、前記孔からの挿入長さが長くなるような位置に、光ファイバの挿入代を示すマークが形成されることを特徴とする光ファイバ切断器である。
【００１９】
前記ファイバ屑回収部には開閉可能な透明な蓋が設けられ、前記ファイバ屑回収部内部が視認可能であり、前記蓋にはマークが設けられ、前記ファイバ切断部と前記孔との距離よりも、前記孔から前記マークまでのファイバ長さが長くなるように前記ファイバの先端を前記ファイバ屑回収部に挿入して切断してもよい。
【００２０】
第２の発明によれば、ファイバ屑を確実に回収可能であるとともに、ファイバ屑がファイバ屑回収部からこぼれ落ちることがない。
【００２１】
また、ファイバ屑回収部に透明な蓋が設けられることで、ファイバ回収部内部のファイバ屑を視認することができる。また、蓋にマークが形成され、ファイバ切断部と孔との距離よりも、孔からマークまでのファイバ長さ（ファイバ回収部内部の長さ）が長くなるようにファイバの先端をファイバ屑回収部に挿入して切断することで、ファイバの重心がファイバ屑回収部内部に位置し、切断後にファイバ屑を確実にファイバ屑回収部内に落とすことができる。
【発明の効果】
【００２２】
本発明によれば、簡易な構造で切断後の光ファイバ屑を容易に回収することが可能であるとともに、内部の光ファイバ屑が収容部からこぼれおちることがない光ファイバ切断器および光ファイバの切断方法を提供することができる。
【図面の簡単な説明】
【００２３】
【図１】ファイバ切断器１を示す図であり、（ａ）は正面図、（ｂ）は（ａ）のファイバ屑回収部の部分断面図。
【図２】図１（ｂ）のＢ部におけるＡ−Ａ線断面図。
【図３】（ａ）はファイバ切断器１のファイバ押さえ部１５を開いた状態を示す図、（ｂ）はファイバ押さえ部１５でファイバ３１を押さえた状態を示す図。
【図４】（ａ）は刃動作部９を動作させた状態を示す図、（ｂ）は刃動作部９を戻した状態を示す図。
【図５】（ａ）はファイバ曲げ部１３を曲げた状態を示す図、（ｂ）はファイバ３１を切断した状態を示す図。
【図６】（ａ）はファイバ切断器１のファイバ押さえ部１５を開いた状態を示す図、（ｂ）はファイバ屑３５をファイバ屑回収部に落とした状態を示す図。
【発明を実施するための形態】
【００２４】
以下、本発明の実施の形態にかかるファイバ切断器１について説明する。図１は、ファイバ切断器１を示す図であり、図１（ａ）は正面図、図１（ｂ）は図１（ａ）のファイバ屑回収部の部分断面図である。ファイバ切断器１は、主に、基台５、ファイバ押さえ部１５、ファイバ切断部１７、ファイバ屑回収部１９等から構成される。
【００２５】
基台５上には、一対の支持部が設けられ支持部の上端には回転軸２３ａが設けられる。回転軸２３ａは、レバー３が取り付けられる。レバー３の端部にはファイバ押さえ部１５が形成される。ファイバ押さえ部１５は、例えばゴムやスポンジ等の弾性部材が取り付けられ、ファイバを基台５（ファイバが設置されるファイバ設置部）に対して押さえつけて保持する部位である。
【００２６】
レバー３は回転軸２３ａを軸に回動可能である。レバー３の他方の端部には、基台５との間にばね７ａが設けられる。したがって、レバー３は、常にばね７ａによって上方に押し上げられる。すなわち、レバー３をばね７ａの力に反して押し下げると、回転軸２３ａを中心にレバー３が回動し、端部のファイバ押さえ部１５が押し上げられる。すなわち、ファイバ押さえ部１５が開放される。
【００２７】
ばね７ａの力によってレバー３を元の状態に戻すと、回転軸２３ａを中心にレバー３が回動し、端部のファイバ押さえ部１５が押し下げられる。ばね７ａは、常にレバー３を上方に押し上げるため、通常の状態では、ファイバ押さえ部１５は常に下方に押さえつけられた状態となる。なお、この状態をファイバ押さえ部１５が閉じた状態と称する。
【００２８】
レバー３の一部（レバー３の回転軸２３ａとファイバ押さえ部１５の間）には、回転軸２３ｂが形成され、回転軸２３ｂを軸に回動可能に刃動作部９が取り付けられる。刃動作部９は、略Ｌ字状の部材であり、先端に刃１１が設けられる。刃動作部９の回転軸２３ｂよりも前方側において、レバー３上面と刃動作部９下面との間には、ばね７ｂが設けられる。ばね７ｂは、常に、刃動作部９をレバー３に対して上方に押し上げる。
【００２９】
すなわち、刃動作部９をばね７ｂの力に反してレバー３に対して押し下げると、回転軸２３ｂを中心に刃動作部９が回動し、端部の刃１１が下方に押し下げられる。ばね７ｂの力によって刃動作部９を元の状態に戻すと、回転軸２３ｂを中心に刃動作部９が回動し、端部の刃１１が押し上げられる。なお、刃１１はファイバに対して傷をつけることが可能な例えばダイヤモンド刃である。
【００３０】
刃動作部９を押し下げた際に、刃１１が位置する部位近傍であって、基台５の端部には、ファイバ曲げ部１３が設けられる。ファイバ曲げ部１３は、例えば、可撓性を有するゴム材料と、薄い金属板との積層構造であり、容易に曲げることが可能である。ここで、刃動作部９、刃１１、ファイバ曲げ部１３を総称してファイバ切断部とする。なお、本発明では、ファイバの切断方法は図示した例には限られず、何らかの方法でファイバを切断する部位が設けられれば良い。
【００３１】
基台５のファイバ設置部の延長線上（ファイバ曲げ部１３に対してファイバ押さえ部１５側）には、ファイバ屑回収部１９が設けられる。
【００３２】
図１（ｂ）に示すように、ファイバ屑回収部１９は、内部が空洞の貯留部２５であり、上部に着脱可能な蓋２１が設けられる。貯留部２５の底面は、ファイバが設置される面（基台５の上面であって、ファイバ押さえ部１５でファイバを押さえる面）よりも低く設定される。
【００３３】
図２は、図１（ｂ）のＢ部におけるＡ−Ａ線断面図である。前述の通り、基台５の上面には、ファイバを設置可能なファイバ設置部２７が形成される。ファイバ設置部２７は例えばＶ溝である。ファイバ設置部２７の延長線上に位置するファイバ回収部１９（蓋２１）には孔２９が形成される。孔２９は、切断対象のファイバが挿通可能な大きさで設けられる。
【００３４】
なお、孔２９の形状は円形には限られず、その他の形状であってもよい。例えば、テープ心線を切断する場合には、ファイバ設置部２７が複数の隣接するＶ溝で構成され、孔２９を長穴で構成してもよい。
【００３５】
図１に示すように、ファイバ屑回収部１９の端部（孔が形成される側）には、ファイバ押さえ部１５が配置される。すなわち、通常、ファイバ押さえ部１５は閉じた状態であり、孔はファイバ押さえ部１５によって塞がれている。なお、ファイバ押さえ部１５と孔２９とのギャップはファイバ屑の長さ等に応じて設定されるが、数ｍｍ程度以下であれば良い。
【００３６】
次に、ファイバ切断器１の使用方法について説明する。まず、図３（ａ）に示すように、レバー３を押し下げて（図中矢印Ｃ方向）、ファイバ押さえ部１５（および刃動作部９）を押し上げる。この状態で、ファイバ設置部２７にファイバ３１を設置する（図中矢印Ｄ方向）。この際、ファイバ３１の先端が孔２９に挿通されて、ファイバ屑回収部１９内部に挿入された状態となる。
【００３７】
次に、図３（ｂ）に示すように、ばね７ａによってレバー３を元の状態に戻す（図中矢印Ｅ）。これよりファイバ押さえ部１５が押し下げられて、ファイバ押さえ部１５でファイバ３１がファイバ設置部２７に押さえつけられる。
【００３８】
ここで、蓋２１は透明であることが望ましい。蓋２１が透明であれば、内部の様子を視認することができる。例えば、ファイバ３１の先端がどの程度ファイバ屑回収部１９に挿入されているかを把握することができる。また、蓋２１にマークを設け、ファイバ３１の先端を常にマーク位置に合わせて（マーク位置よりも短くなるように）挿入するようにすれば、ファイバ屑が長すぎて、ファイバ屑回収部１９内に収まらないようなことがない。
【００３９】
また、後述する刃での切断部と孔２９との長さよりも、孔２９からのファイバの挿入長さが長くなるように、ファイバ３１をファイバ屑回収部１９に挿入することで、切断後のファイバ屑の重心をファイバ屑回収部１９内部に位置させることができる。このため、ファイバ屑を確実にファイバ屑回収部１９側に落下させることができる。
【００４０】
したがって、切断部と孔２９との長さよりも、孔２９からの挿入長さが長くなるような位置にマークを設け、ファイバ３１の先端を常にマーク位置に合わせて（マーク位置よりも長くなるように）挿入するようにすれば、ファイバの挿入代を確実に把握することができ、ファイバ屑を確実にファイバ屑回収部１９に回収することができる。
【００４１】
次に、図４（ａ）に示すように、ファイバ３１をファイバ押さえ部１５で押さえた状態で、刃動作部９を押し下げる（図中矢印Ｆ方向）。刃動作部９を押し下げることで、刃１１がファイバ３１に接触する。この際、刃１１によってファイバ３１の表面には傷３３が形成される。
【００４２】
次に、図４（ｂ）に示すように、ばね７ｂによって刃動作部９を元の状態に戻す（図中矢印Ｇ）。これより刃１１が押し上げられる。
【００４３】
次に、図５（ａ）に示すように、ファイバ３１をファイバ押さえ部１５で押さえた状態で、ファイバ曲げ部１３をファイバ３１とともに下方に屈曲させる（図中矢印Ｈ方向）。
【００４４】
図５（ｂ）に示すように、所定以上の曲率でファイバ３１（ファイバ曲げ部１３）を曲げることで、傷３３を起点に、ファイバ３１が切断される。すなわち、この状態では、ファイバ押さえ部１５によってファイバ屑３５が抑えられた状態となる。
【００４５】
次に、図６（ａ）に示すように、レバー３を再度押し下げて、ファイバ押さえ部１５を押し上げる。ファイバ屑３５は、ファイバ押さえ部１５による押さえがなくなるため、フリーな状態となる。この際、前述したように、切断部から孔２９までの長さよりも、孔２９からファイバ屑回収部１９内部への挿入代を長くしておくことで、ファイバ屑３５は自重で貯留部方向に傾き、ファイバ屑回収部の外部に落下することがない。
【００４６】
ここで、ファイバ押さえ部１５はゴム等の弾性体であるため、ファイバ屑３５がファイバ押さえ部１５側に張り付く恐れがある。しかし、この場合でも、ファイバ押さえ部１５を上方に押し上げると、ファイバ屑３５は孔２９で保持され、上方への移動が規制されるため、容易にファイバ屑３５をファイバ押さえ部１５から剥がすことができる。
【００４７】
次に、必要に応じてファイバ切断器をわずかに傾けることで、図６（ｂ）に示すように、容易にファイバ屑をファイバ屑回収部１９の貯留部２５に落とすことができる。
【００４８】
なお、一度貯留部２５に落ちたファイバ屑３５は、孔２９よりも低い位置に貯留されるため、多少の傾き程度では、ファイバ屑３５が孔２９から出ることはない。また、通常、ファイバ押さえ部１５は下方に押さえつけられており、ファイバ押さえ部１５の側面で孔１９を塞いでいるため、ファイバ屑３５が孔２９からこぼれおちることがない。
【００４９】
本発明によれば、ファイバ切断器１で発生するファイバ屑３５を簡易な構造で確実に回収することができる。この際、ファイバ屑回収部１９に孔２９が形成され、当該孔２９がファイバ押さえ部１５によって常に塞がれるため、運搬中などにおいても、ファイバ屑３５がファイバ屑回収部１９からこぼれおちることがない。
【００５０】
また、ファイバ屑回収部１９の貯留部２５をファイバ保持面（孔）よりも低い位置に形成することで、使用時に、ファイバ屑３５が孔２９から出ることがない。
【００５１】
また、蓋２１が設けられ、蓋２１が透明であれば、内部を容易に視認することができる。したがって、ファイバ３１の先端位置を把握することができる。また、蓋２１にマークを形成することで、ファイバ３１の挿入代を把握することができる。このため、ファイバ屑３５が長すぎたり、短すぎたりすることがない。
【００５２】
特に、切断後、ファイバ屑３５がファイバ屑回収部１９からの露出長さよりも挿入部長さを長くすることで、確実にファイバ屑３５をファイバ屑回収部１９内部に落とすことができる。
【００５３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５４】
例えば、ファイバ切断器の形状は図示した例に限られず、いずれの形態であってもよい。本発明では、ファイバを設置した際に、端部をファイバ屑回収部内部に挿入可能であり、ファイバ押さえ部によって、ファイバ屑回収部（孔）を塞ぐことが可能であればよく、切断部の位置や切断方法、ばね等の構成は特に問わない。
【００５５】
また、必要に応じて、ファイバ３１をあらかじめホルダ等に保持させてもよい。この場合には、ファイバ設置部に隣接する位置に、ホルダ固定部を設ければよい。このようにすることで、ホルダからのファイバの出代が、常に一定になるようにファイバを切断することができる。
【符号の説明】
【００５６】
１………ファイバ切断器
３………レバー
５………基台
７ａ、７ｂ………ばね
９………刃動作部
１１………刃
１３………ファイバ曲げ部
１５………ファイバ押さえ部
１７………ファイバ切断部
１９………ファイバ屑回収部
２１………蓋
２３ａ、２３ｂ………回転軸
２５………貯留部
２７………ファイバ設置部
２９………孔
３１………ファイバ
３３………傷
３５………ファイバ屑
【図１】
0005809827.tif 000002
【図２】
0005809827.tif 000003
【図３】
0005809827.tif 000004
【図４】
0005809827.tif 000005
【図５】
0005809827.tif 000006
【図６】
0005809827.tif 000007